(57)【要約】【課題】  ２０００年のＩＴＵ−Ｔの勧告書を見て、両面送信を設計した場合、ＤＣＳ信号のＦＩＦの１１２ビットを１として、ＦＩＦの１１３ビット以降は送信しない、あるいは、１１３ビット以降は全て０の情報を送信する事が考えられる。このケースで、現在の規格に基づいて、片面受信処理を実行すると受信エラーとなってしまうという欠点があった。【解決手段】  交互モードでの両面通信が可能なファクシミリ装置において、前手順にて、送信機から受信機に、ＤＣＳ信号のＦＩＦの１１２ビット目が１であり、ＤＣＳ信号のＦＩＦの１１３ビット目以降の送信が無い場合、交互モードの両面通信が指定されていると判断し、交互モードでの両面受信を行なう。【選択図】  図１
2006060555.tif 000002
【特許請求の範囲】
【請求項１】
交互モードでの両面通信が可能なファクシミリ装置において、前手順にて、送信機から受信機に、ＤＣＳ信号のＦＩＦの１１２ビット目が１であり、ＤＣＳ信号のＦＩＦの１１３ビット目以降の送信が無い場合、交互モードの両面通信が指定されていると判断し、交互モードでの両面受信を行なう事を特徴とするファクシミリ装置。
【請求項２】
請求項１のファクシミリ装置において、前手順にて、送信機から受信機に、ＤＣＳ信号のＦＩＦの１１２ビット目が１であり、ＤＣＳ信号のＦＩＦの１１３ビット目以降の情報が全て０である場合、交互モードの両面通信が指定されていると判断し、交互モードでの両面受信を行なう事を特徴とするファクシミリ装置。
【請求項３】
交互モードでの両面通信が可能なファクシミリ通信方式において、前手順にて、送信機から受信機に、ＤＣＳ信号のＦＩＦの１１２ビット目が１であり、ＤＣＳ信号のＦＩＦの１１３ビット目以降の送信が無い場合、交互モードの両面通信が指定されていると判断し、交互モードでの両面受信を行なう事を特徴とするファクシミリ通信方式。
【請求項４】
請求項３のファクシミリ通信方式において、前手順にて、送信機から受信機に、ＤＣＳ信号のＦＩＦの１１２ビット目が１であり、ＤＣＳ信号のＦＩＦの１１３ビット目以降の情報が全て０である場合、交互モードの両面通信が指定されていると判断し、交互モードでの両面受信を行なう事を特徴とするファクシミリ通信方式。
【発明の詳細な説明】
【技術分野】
【０００１】
本発明は、ファクシミリ装置、特に、両面通信可能なファクシミリ装置に関するものである。
【背景技術】
【０００２】
従来のファクシミリ装置は、原稿情報の片面原稿情報を読み取り、符号化して送信し、一方、受信機側では、受信情報を復合化して、記録紙の片面に記録していた。
【０００３】
このような状況で、ＩＴＵ−Ｔにて、両面通信が勧告化された。ここで、受信機側では、ＤＩＳ信号のＦＩＦのＸビットにより、交互モードでの両面受信機能の有無を、同様に、Ｘ＋１ビットにより、連続モードでの両面受信機能の有無を送信機に通知していた。送信機から受信機へは、ＤＣＳ信号のＦＩＦのＸビットにより、交互モードでの両面送信を指定し、同様に、Ｘ＋１ビットにより、連続モードでの両面送信を指定していた（例えば、特許文献１）。
【特許文献１】特開２００３−２４４４１５号公報
【発明の開示】
【発明が解決しようとする課題】
【０００４】
しかしながら、２０００年にＩＴＵーＴで勧告化されたが、Ｘビットは１１２ビット目にアサインされ、Ｘ＋１ビットは１１３ビット目にアサインされた。ここで、一般的に、ＤＩＳ信号、ＤＣＳ信号、ＤＴＣ信号のＦＩＦの拡張は、８ビット毎に次のバイトデータがあるかを示す拡張ビットにアサインされる様に決まっていた。このため本来なら、ＤＩＳ信号、ＤＣＳ信号、ＤＴＣ信号のＦＩＦの１１２ビットは、拡張ビットであり、この１１２ビットには、機能ビットをアサインしていけなかった。
【０００５】
この矛盾を解決するために、２００３年５月のＩＴＵ−Ｔ会合にて、Ｘビットは１１３ビット目にアサインされ、Ｘ＋１ビットは１１４ビット目にアサインする事が提案され了承された。
【０００６】
２０００年のＩＴＵ−Ｔの勧告書を見て、両面送信を設計した場合、ＤＣＳ信号のＦＩＦの１１２ビットを１として、ＦＩＦの１１３ビット以降は送信しない、あるいは、１１３ビット以降は全て０の情報を送信する事が考えられる。このケースで、現在の規格に基づいて、片面受信処理を実行すると受信エラーとなってしまうという欠点があった。
【課題を解決するための手段】
【０００７】
第１の本発明によれば、交互モードでの両面通信が可能なファクシミリ装置において、前手順にて、送信機から受信機に、ＤＣＳ信号のＦＩＦの１１２ビット目が１であり、ＤＣＳ信号のＦＩＦの１１３ビット目以降の送信が無い場合、交互モードの両面通信が指定されていると判断し、交互モードでの両面受信を行なう事が可能になった。
【０００８】
これにより、２０００年のＩＴＵ−Ｔの勧告書を見て、両面送信を設計した場合、ＤＣＳ信号のＦＩＦの１１２ビットを１として、ＦＩＦの１１３ビット以降は送信しないで送信する事が考えられるが、このケースにおいても、受信機は、交互モードの両面通信が指定されていると判断し、交互モードでの両面受信を行なう事が可能になり、通信の確保が向上し、ユーザにはとても使い易くなった。
【０００９】
第２の本発明によれば、第１の本発明のファクシミリ装置において、前手順にて、送信機から受信機に、ＤＣＳ信号のＦＩＦの１１２ビット目が１であり、ＤＣＳ信号のＦＩＦの１１３ビット目以降の情報が全て０である場合、交互モードの両面通信が指定されていると判断し、交互モードでの両面受信を行なう事が可能になった。
【００１０】
これにより、２０００年のＩＴＵ−Ｔの勧告書を見て、両面送信を設計した場合、ＤＣＳ信号のＦＩＦの１１２ビットを１として、ＤＣＳ信号のＦＩＦの１１３ビット目以降の情報が全て０である場合が考えられるが、このケースにおいても、受信機は、交互モードの両面通信が指定されていると判断し、交互モードでの両面受信を行なう事が可能になり、通信の確保が向上し、ユーザにはとても使い易くなった。
【００１１】
第３、第４の本発明は、第１、第２の本発明をファクシミリ装置からファクシミリ通信方式にしたものである。
【発明の効果】
【００１２】
第１の本発明によれば、２０００年のＩＴＵ−Ｔの勧告書を見て、両面送信を設計した場合、ＤＣＳ信号のＦＩＦの１１２ビットを１として、ＦＩＦの１１３ビット以降は送信しないで送信する事が考えられるが、このケースにおいても、受信機は、交互モードの両面通信が指定されていると判断し、交互モードでの両面受信を行なう事が可能になり、通信の確保が向上し、ユーザにはとても使い易くなった。
【００１３】
第２の本発明によれば、２０００年のＩＴＵ−Ｔの勧告書を見て、両面送信を設計した場合、ＤＣＳ信号のＦＩＦの１１２ビットを１として、ＤＣＳ信号のＦＩＦの１１３ビット目以降の情報が全て０である場合が考えられるが、このケースにおいても、受信機は、交互モードの両面通信が指定されていると判断し、交互モードでの両面受信を行なう事が可能になり、通信の確保が向上し、ユーザにはとても使い易くなった。
【００１４】
第３、第４の本発明は、第１、第２の本発明をファクシミリ装置からファクシミリ通信方式にしたものである。
【発明を実施するための最良の形態】
【００１５】
（実施例１）
以下、図面に示す実施の形態に基づいて、本発明を詳細に説明する。
【００１６】
図１には、本発明の実施の形態であるファクシミリ装置がブロック図として図示されている。
【００１７】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１８】
４は、電話機である。
【００１９】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００２０】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００２１】
１０は、発呼回路であり、バス２６からの信号により、電話番号情報を入力し、信号線１０ａにＤＴＭＦの選択信号を出力する。
【００２２】
１２は、加算回路であり、信号線８ａの情報と信号線１０ａの情報を入力し、加算した結果を信号線１２ａに出力する。
【００２３】
１４は、両面読み取り可能な読取回路であり、読み取りデータをバス２６に出力する。
【００２４】
１６は、両面記録可能な記録回路であり、バス２６に出力されている情報を順次１ライン毎に記録する。
【００２５】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
２０は、操作部であり、ワンタッチダイヤル、短縮ダイヤル、テンキー、＊キー、＃キー、スタートキー、ストップキー、セットキー、両面情報の送信を選択するキー、その他のファンクションキーがあり、押下されたキー情報はバス２６に出力される。
【００２６】
操作部には、表示部があり、バス２６に出力されている情報を入力し、表示する。
【００２７】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２８】
２６は、バスである。
【００２９】
２４は、交互モードでの両面通信が可能なファクシミリ装置において、前手順にて、送信機から受信機に、ＤＣＳ信号のＦＩＦの１１２ビット目が１であり、ＤＣＳ信号のＦＩＦの１１３ビット目以降の送信が無い場合、交互モードの両面通信が指定されていると判断し、交互モードでの両面受信を行なう。そして、前手順にて、送信機から受信機に、ＤＣＳ信号のＦＩＦの１１２ビット目が１であり、ＤＣＳ信号のＦＩＦの１１３ビット目以降の情報が全て０である場合、交互モードの両面通信が指定されていると判断し、交互モードでの両面受信を行なう。
【００３０】
以上の制御プログラムが格納されている。
【００３１】
図２、３、４には、図１の制御の流れ図が図示されている。
図２において、S0は、始めを表している。
【００３２】
Ｓ２は、バス２６を介して、メモリ１８をイニシャライズする事を表している。
【００３３】
Ｓ４は、バス２６を介して、操作部の表示部をクリアする事を表している。
【００３４】
Ｓ６では、バス２６を介してＮＣＵ２のCMLをオフする。
【００３５】
Ｓ８では、ファクシミリ受信が選択されたか否かが判断されＹＥＳであるとＳ１２に進み、ＮＯであるとＳ１０に進み、その他の処理をする。
【００３６】
Ｓ１２では、バス２６を介してＮＣＵ２のCMLをオンする。
【００３７】
Ｓ１４は、前手順を表している。ここでは、２００３年５月以降のＩＴＵ−Ｔ勧告のＴ．３０に従ったＤＩＳ信号のＦＩＦに基づいて送信する。ここでは、ＤＩＳ信号のＦＩＦの１１２ビットは拡張ビットとして１とし、ＤＩＳ信号のＦＩＦの１１３ビットは交互両面受信機能ビットとして１とし、ＤＩＳ信号のＦＩＦの１１４ビットは連続両面受信機能ビットとして１とする。
【００３８】
Ｓ１６では、ＤＣＳ信号のＦＩＦの１１３ビットが１であるか否かが判断され、ＹＥＳであるとＳ１８に進み、ＮＯであるとＳ２２に進む。ここでは、ＤＣＳのＦＩＦの定義としては、２００３年５月以降で送信している、すなわち、送信機は２００３年５月以降のＩＴＵ−Ｔ勧告に基づいて、送信している事を考えている。
【００３９】
ここで、送信機が２００２年のＩＴＵ−Ｔ勧告に基づいている場合は、連続モードの両面通信を指定しているケースも考えられるが受信できないので、次ステップに進む事にする。この対応は、実施例２で詳述する。
【００４０】
Ｓ１８は、交互モードでの両面情報の受信／両面記録を表している。
【００４１】
Ｓ２０は、後手順を表している。
【００４２】
Ｓ２２では、ＤＣＳ信号のＦＩＦの１１２ビットが１であるか否かが判断され、ＹＥＳであるとＳ２８に進み、ＮＯであるとＳ２４に進む。
【００４３】
Ｓ２４に進む場合は、２０００年のＩＴＵ−Ｔ勧告においても、２００３年５月以降の勧告においても交互モードでの両面通信を指定していないので、Ｓ２４に進み、片面情報の受信、片面記録を実行する。
【００４４】
Ｓ２６は、後手順を表している。
【００４５】
Ｓ２８では、ＤＣＳ信号のＦＩＦの１１３ビット以降の情報は送られていないか否かが判断され、ＹＥＳであるとＳ１８に進み、ＮＯであるとＳ３０に進む。
【００４６】
Ｓ３０では、ＤＣＳ信号のＦＩＦの１１３ビット以降の情報は全て０であるか否かが判断され、ＹＥＳであるとＳ１８に進み、ＮＯであるとＳ２４に進む。
【００４７】
Ｓ２８は、第１の本発明の主要制御である。すなわち、交互モードでの両面通信が可能なファクシミリ装置において、前手順にて、送信機から受信機に、ＤＣＳ信号のＦＩＦの１１２ビット目が１であり、ＤＣＳ信号のＦＩＦの１１３ビット目以降の送信が無い場合、交互モードの両面通信が指定されていると判断し、交互モードでの両面受信を行なう事が可能になった。
【００４８】
これにより、２０００年のＩＴＵ−Ｔの勧告書を見て、両面送信を設計した場合、ＤＣＳ信号のＦＩＦの１１２ビットを１として、ＦＩＦの１１３ビット以降は送信しないで送信する事が考えられるが、このケースにおいても、受信機は、交互モードの両面通信が指定されていると判断し、交互モードでの両面受信を行なう事が可能になり、通信の確保が向上し、ユーザにはとても使い易くなった。
【００４９】
Ｓ３０は、第２の本発明の主要制御である。すなわち、交互モードでの両面通信が可能なファクシミリ装置において、前手順にて、送信機から受信機に、ＤＣＳ信号のＦＩＦの１１２ビット目が１であり、ＤＣＳ信号のＦＩＦの１１３ビット目以降の情報が全て０である場合、交互モードの両面通信が指定されていると判断し、交互モードでの両面受信を行なう事が可能になった。
【００５０】
これにより、２０００年のＩＴＵ−Ｔの勧告書を見て、両面送信を設計した場合、ＤＣＳ信号のＦＩＦの１１２ビットを１として、ＤＣＳ信号のＦＩＦの１１３ビット目以降の情報が全て０である場合が考えられるが、このケースにおいても、受信機は、交互モードの両面通信が指定されていると判断し、交互モードでの両面受信を行なう事が可能になり、通信の確保が向上し、ユーザにはとても使い易くなった。
【００５１】
（実施例２）
第１の実施例において、Ｓ１６では、ＤＣＳ信号のＦＩＦの１１３ビットが１であるか否かが判断され、ＹＥＳであるとＳ１８に進み、ＮＯであるとＳ２２に進む。ここでは、ＤＣＳのＦＩＦの定義としては、２００３年５月以降で送信している、すなわち、送信機は２００３年５月以降のＩＴＵ−Ｔ勧告に基づいて、送信している事を考えている。
【００５２】
ここで、送信機が２００２年のＩＴＵ−Ｔ勧告に基づいている場合は、連続モードの両面通信を指定しているケースも考えられるが受信できないので、この判定を実行しても良い。
【００５３】
図５には、図２、３、４の制御の流れ図に対して、異なる制御の流れ図が図示されている。
【００５４】
図５において、Ｓ４０は、Ｓ１６のＹＥＳを表している。
【００５５】
Ｓ４２では、ＤＣＳ信号のＦＩＦの１１２ビットが１であるか否かが判断され、ＹＥＳであるとＳ４４（Ｓ１８）に進み、ＮＯであるとＳ４６に進む。
【００５６】
Ｓ４６は、連続モードでの両面情報の受信が不可なため通信エラーとする事を表している。
【００５７】
Ｓ４８は、Ｓ６を表している。
【図面の簡単な説明】
【００５８】
【図１】本発明によるファクシミリ装置の実施例のブロック図。
【図２】本発明による制御の流れ図。
【図３】本発明による制御の流れ図。
【図４】本発明による制御の流れ図。
【図５】本発明による制御の流れ図。
【符号の説明】
【００５９】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
【図１】
2006060555.tif 000003
【図２】
2006060555.tif 000004
【図３】
2006060555.tif 000005
【図４】
2006060555.tif 000006
【図５】
2006060555.tif 000007